(57)【特許請求の範囲】
【請求項１】
室内ユニットが天井面に埋め込まれるようにして設置される天井埋込型空気調和装置であって、
前記室内ユニットには室内の空気を取り込む吸込口が形成され、該吸込口には複数のリブをスリット状に配置した吸込グリルが着脱可能に取り付けられ、該吸込グリルの裏面には波形に形成されたエアフィルタが配置されており、
前記吸込グリルの裏面側に配設されて前記複数のリブを連結する補強リブが、前記エアフィルタの波の間に挿入されて組み合わされていることを特徴とする天井埋込型空気調和装置。
【請求項２】
前記エアフィルタの補強リブが、前記複数のリブのいずれかと空気の吸込方向からみて重なるように配置されていることを特徴とする請求項１記載の天井埋込型空気調和装置。
【請求項３】
室内ユニットが天井面に埋め込まれるようにして設置され、該室内ユニットには室内の空気を取り込む吸込口が形成されるとともに該吸込口には複数のリブをスリット状に配置した吸込グリルが着脱可能に取り付けられ、該吸込グリルの裏面には波形に形成されたエアフィルタが配置されており、前記吸込グリルをこれに連結された複数のワイヤで吊持し該ワイヤを巻き上げまたは送り出すことにより着脱する天井埋込型空気調和装置であって、
前記吸込グリルの裏面側に配設されて前記複数のリブを連結する補強リブが、前記エアフィルタの波の間に挿入されて組み合わされていることを特徴とする天井埋込型空気調和装置。
【請求項４】
前記エアフィルタの補強リブが、前記複数のリブのいずれかと空気の吸込方向からみて重なるように配置されていることを特徴とする請求項３記載の天井埋込型空気調和装置。
【発明の詳細な説明】
【０００１】
【発明の属する技術分野】
本発明は、室内ユニットを天井面に埋め込むようにして設置される天井埋込型空気調和装置に関するものである。
【０００２】
【従来の技術】
天井埋込型空気調和装置の室内ユニットの一例を図６に示す。図において、符号１は天井に埋設されたキャビネットであり、その内部には熱交換器２、ファン３、送風用モータ４、導風板５、ドレンパン６等が配置され、さらにキャビネット１にはその下部開口を覆うようにして天井パネル７が取り付けられている。
【０００３】
天井パネル７の中央には吸込口７ａが形成され、さらに吸込口７ａの両側には吹出口７ｂが形成されている。また、吸込口７ａには集塵のためのエアフィルタ８を組み合わされた吸込グリル９が填め込まれている。
【０００４】
この天井埋込型空気調和装置では、送風用モータ４を駆動させてファン３を回転させると、室内の空気が吸込グリル９、エアフィルタ８を通じて吸込口７ａから吸い込まれ、導風板５に案内されてファン３に吸入され付勢される。次いで、付勢された空気は熱交換器２を吹き抜ける過程で冷却または加熱され、所望の状態に調和されて吹出口７ｂから室内に吹き出されるようになっている。
【０００５】
【発明が解決しようとする課題】
上記のような構造の天井埋込型空気調和装置においては、次のような問題点が指摘されている。
図７に示すように、吸込グリル９には複数のリブ１０が等間隔に配置されており、室内の空気はこのリブ１０間の隙間を通じて吸い込まれるようになっている。ところで、リブ１０は空気抵抗をできる限り小さくするために非常に薄く形成されており、しかもリブ１０により形成されるグリル面はより多くの空気を取り入れるために大きく開口されているので、リブ１０だけでは吸込グリル９に十分な強度を持たせることが困難である。そこで、吸込グリル９の裏面にはリブ１０に直交するように配置されて各リブ１０を連結する補強リブ１１が一体成形されている。
【０００６】
補強リブ１１はその数もリブ１０に比べて少なく（２〜３本程度）、しかも吸込グリル９の裏面側に設けられるのであるが、室内から吸込グリル９を注視するとリブ１０間に配された補強リブ１１が黒いエアフィルタ８との明暗の差も手伝ってよく目立ち、室内ユニットの美観を損ねる一因となっている。
【０００７】
また、補強リブ１１をできるだけ目立たなくするために吸込グリル９の裏面側に配置しているが、これによって補強リブ１１を含めた吸込グリル９の厚さが絶対的に厚くなってしまい、室内ユニットをコンパクトに仕上げることができないことも問題である。室内ユニットは天井面に設置されるため、なるべく天井面と面一に近い形にしないと室内の人間に圧迫感を与えてしまい好ましくない。また、これを避けようとするとキャビネットを天井に余計に埋め込む形状とするしかないが、こうすると天井裏のスペースを大きく使うようになり、設置場所が制限されてしまう可能性もある。
【０００８】
本発明は上記の事情に鑑みてなされたものであり、吸込グリルに設けられる補強リブを目立たなくして室内ユニットの外観を美麗に仕上げるとともにその小型化を図ることを目的としている。
【０００９】
【課題を解決するための手段】
上記の課題を解決するための手段として、次のような構造の天井埋込型空気調和装置を採用する。すなわち、本発明に係る請求項１記載の天井埋込型空気調和装置は、室内ユニットが天井面に埋め込まれるようにして設置される天井埋込型空気調和装置であって、
前記室内ユニットには室内の空気を取り込む吸込口が形成され、該吸込口には複数のリブをスリット状に配置した吸込グリルが着脱可能に取り付けられ、該吸込グリルの裏面には波形に形成されたエアフィルタが配置されており、
前記吸込グリルの裏面側に配設されて前記複数のリブを連結する補強リブが、前記エアフィルタの波の間に挿入されて組み合わされていることを特徴としている。
【００１０】
請求項２記載の天井埋込型空気調和装置は、請求項１記載の天井埋込型空気調和装置において、前記エアフィルタの補強リブが、前記複数のリブのいずれかと空気の吸込方向からみて重なるように配置されていることを特徴としている。
【００１１】
請求項３記載の天井埋込型空気調和装置は、室内ユニットが天井面に埋め込まれるようにして設置され、該室内ユニットには室内の空気を取り込む吸込口が形成されるとともに該吸込口には複数のリブをスリット状に配置した吸込グリルが着脱可能に取り付けられ、該吸込グリルの裏面には波形に形成されたエアフィルタが配置されており、前記吸込グリルをこれに連結された複数のワイヤで吊持し該ワイヤを巻き上げまたは送り出すことにより着脱する天井埋込型空気調和装置であって、
前記吸込グリルの裏面側に配設されて前記複数のリブを連結する補強リブが、前記エアフィルタの波の間に挿入されて組み合わされていることを特徴としている。
【００１２】
請求項４記載の天井埋込型空気調和装置は、請求項３記載の天井埋込型空気調和装置において、前記エアフィルタの補強リブが、前記複数のリブのいずれかと空気の吸込方向からみて重なるように配置されていることを特徴としている。
【００１３】
本発明に係る天井埋込型空気調和装置においては、吸込グリルの補強リブを、エアフィルタの波の間に挿入するようにして吸込グリルとエアフィルタとを組み合わせることにより、補強リブが波の間に紛れて目立ち難くなり、室内ユニットの美観が保たれる。
【００１４】
また、補強リブをエアフィルタの波の間に挿入することにより、補強リブ分の出っ張りが吸収され、エアフィルタを組み合わされた状態での吸込グリルの嵩張りが解消されて室内ユニットがコンパクトに仕上がる。
【００１５】
本発明に係る天井埋込型空気調和装置においては、エアフィルタの補強リブを、複数のリブのいずれかと空気の吸込方向からみて重なるように配置することにより、吸込口において空気の流れを妨げる障害物が少なくなり、空気の取入に要する動力のロスが低減されて送風能力の向上が図れる。また、吸入時の低騒音化にも効果がある。
【００１６】
【発明の実施の形態】
本発明に係る天井埋込型空気調和装置の実施形態を図１ないし図５に示して説明する。
天井埋込型空気調和装置の室内ユニットの構造を図１に示す。図において、符号１１は天井に埋設されたキャビネットであり、その内部には熱交換器１２、ファン１３、送風用モータ１４、導風板１５、ドレンパン１６等が配置され、さらにキャビネット１１にはその下部開口を覆うようにして天井パネル１７が取り付けられている。
【００１７】
天井パネル１７の中央には矩形の吸込口１７ａが形成され、さらに吸込口１７ａの周囲には、矩形をなす各辺部にそれぞれ対応して横長の吹出口１７ｂが形成されている。
【００１８】
吸込口１７ａには、集塵のためのエアフィルタ１８を裏面側に組み合わされた吸込グリル１９が填め込まれている。吹出口１７ｂには、調和された空気の吹出方向を変化させる可動フィン１７ｃが設けられている。
【００１９】
この天井埋込型空気調和装置には、エアフィルタ１８の交換や吸込グリル１９の清掃を簡単に行えるように、吸込グリル１９をワイヤで吊り下げて昇降させる機構が設けられている。図２に示すように、キャビネット１１には正逆転可能なモータ２０が固定されており、各モータ２０の回転軸に固定されたプーリ２１にワイヤ２２が巻回され、さらにワイヤ２２の先端が吸込口１７ａの四隅の１箇所に設置されたガイド２３ａ、吸込グリル１９の四隅の隣り合う２箇所に設置されたガイド２３ｂ，２３ｂに順に通され、さらにガイド２３ａに隣り合う吸込口１７ａの四隅の１箇所に固定されている。そして、ワイヤ２２を巻き上げることで吸込グリル１９を上昇させて吸込口１７ａに填め込み、ワイヤ２２を送り出すことで吸込グリル１９を吸込口１７ａから外して降下させるようになっている。なお、モータ２０はキャビネット１１にではなく、天井パネル１７等、室内ユニットを構成するその他の部材に固定されていても構わない。
【００２０】
上記天井埋込型空気調和装置では、送風用モータ１４を駆動させてファン１３を回転させると、室内の空気が吸込グリル１９、エアフィルタ１８を通じて吸込口１７ａから吸い込まれ、導風板５に案内されてファン１３に吸入され付勢される。次いで、付勢された空気は熱交換器１２を吹き抜ける過程で冷却または加熱され、所望の状態に調和されて吹出口１７ｂから室内に吹き出されるようになっている。
【００２１】
本実施形態において、吸込グリル１９には、図３に示すように複数のリブ２４が等間隔に配置されており、吸込グリル１９の裏面にはリブ２４に直交するように配設されて各リブ２４を連結する補強リブ２５が一体成形されている。室内の空気はこのリブ２４間の隙間を通じて吸い込まれるようになっている。
【００２２】
エアフィルタ１８は吸込グリル１９よりも僅かに小さな矩形状で、断面視すると小さな波形に形成されたフィルタ部２６の周囲にプラスチックの枠２７が溶着されて構成されている。また、フィルタ部２６には強度を確保するための補強リブ２８が枠２７間に繋がって溶着されている。
【００２３】
吸込グリル１９は、図４に示すように、補強リブ２５をフィルタ部２６の波の間に挿入するようにしてエアフィルタ１８と組み合わされている。また、枠２７には補強リブ２５との干渉を避けるために切欠部２７ａが形成されており、吸込グリル１９と枠２７とは補強リブ２５に邪魔されることなく全体で接するように重ねられている。さらに、エアフィルタ１８の補強リブ２８は、図５に示すように、吸込グリル１９のリブ２４のひとつと空気の吸込方向からみて重なるように配置されている。
【００２４】
上記のように構成された天井埋込型空気調和装置においては、吸込グリル１９の補強リブ２５をエアフィルタ１８の波の間に挿入させて組み合わせることにより、補強リブ２５が波の間に紛れて目立ち難くなる。
【００２５】
また、補強リブ２５をエアフィルタ１８の波の間に挿入することにより補強リブ２５分の張り出しが吸収され、エアフィルタ１８を組み合わされた状態での吸込グリル１９の嵩張りが解消される。補強リブ２５の凸状とエアフィルタ１８の波間の凹状とを組み合わせることにより、吸入時のエアフィルタ１８のビビリ音の発生を防止する効果もある。
【００２６】
さらに、エアフィルタ１８の補強リブ２８を、吸込グリル１９のリブ２４のひとつと空気の吸込方向からみて重なるように配置することにより、吸込口１７ａにおいて空気の流れを妨げる障害物が少なくなり、空気の取入に要する動力のロスが低減される。また、吸入時の低騒音化にも効果がある。
【００２７】
なお、本実施形態においては、吸込グリル１９を昇降させてメインテナンス作業を行い易くした構造を有する天井埋込型空気調和装置について説明したが、本発明に係る天井埋込型空気調和装置はこういった吸込グリルの昇降機構を備えるものに限らず、通常の着脱式吸込グリルを備えるものについても実施可能である。
【００２８】
【発明の効果】
以上説明したように、本発明に係る天井埋込型空気調和装置によれば、吸込グリルの補強リブを、エアフィルタの波の間に挿入するようにして吸込グリルとエアフィルタとを組み合わせることにより、補強リブが波の間に紛れて目立ち難くなり、室内ユニットの美観が保たれる。
【００２９】
さらに、補強リブをエアフィルタの波の間に挿入することにより、補強リブ分の張り出しが吸収され、エアフィルタを組み合わされた状態での吸込グリルの嵩張りが解消されるので、室内ユニットがコンパクトに仕上がる。補強リブの凸状とエアフィルタの波間の凹状とを組み合わせることにより、吸入時のエアフィルタのビビリ音の発生を防止する効果もある。
【００３０】
また、本発明に係る天井埋込型空気調和装置においては、エアフィルタの補強リブを、複数のリブのいずれかと空気の吸込方向からみて重なるように配置することにより、吸込口において空気の流れを妨げる障害物が少なくなり、空気の取入に要する動力のロスが低減されるので、送風能力の向上が図れる。また、吸入時の低騒音化にも効果がある。
【図面の簡単な説明】
【図１】  本発明に係る天井埋込型空気調和装置の実施形態を示す図であって、天井に設置される室内ユニットの側断面図である。
【図２】  室内ユニットに具備される吸込グリルの昇降機構を示す斜視図である。
【図３】  吸込グリルおよびエアフィルタを示す斜視図である。
【図４】  吸込グリルとエアフィルタとを組み合わせる際の状態説明図である。
【図５】  組み合わされた吸込グリルおよびエアフィルタの側断面図である。
【図６】  従来の天井埋込型空気調和装置における室内ユニットの側断面図である。
【図７】  従来の天井埋込型空気調和装置における室内ユニットを室内から見た斜視図である。
【符号の説明】
１７      天井パネル
１７ａ    吸込口
１８      エアフィルタ
１９      吸込グリル
２４      リブ
２５      補強リブ
【図１】
0003897492.tif 000002
【図２】
0003897492.tif 000003
【図３】
0003897492.tif 000004
【図４】
0003897492.tif 000005
【図５】
0003897492.tif 000006
【図６】
0003897492.tif 000007
【図７】
0003897492.tif 000008